(57)【要約】    【課題】  本発明の目的は雨水の防水対策を溶接構造にすることなく組立構造にして行える屋外用受配電盤を提供することにある。    【解決手段】  換気口５が形成されている天井板４との間に空間を形成して配置される屋根板８に形成した屋根板換気口９の上側に雨水受樋１８を配置する。屋根板換気口９は上面に複数の換気孔が穿設されている下面開放のカバーによって覆われる。屋根板換気口９の周囲を上方に突出している凸溝１０で囲うように形成する。【選択図】  図４
2006074956.tif 000002
【特許請求の範囲】
【請求項１】
受配電盤の組立枠体を形成するフレームと、前記フレームの上部に取付けられ、換気口が形成されている天井板と、前記天井板との間に空間を形成して配置され、換気口が形成されている屋根板と、前記屋根板換気口の上側に配置された雨水受樋と、前記屋根板換気口を覆うように配置され、上面に複数の換気孔が穿設されている下面開放のカバーと、前記屋根板換気口の周囲を囲うように形成され、上方に突出している凸溝とを具備することを特徴とする屋外用受配電盤。
【請求項２】
請求項１において、前記凸溝の外側を囲うように設けられているパッキンを具備することを特徴とする屋外用受配電盤。
【請求項３】
請求項１において、前記凸溝はリブ押し成形によって半円状に形成されていることを特徴とする屋外用受配電盤。
【請求項４】
請求項１〜３のいずれか１項において、前記屋根板換気口は角穴であり、前記凸溝がレーストラック状に形成されていることを特徴とする屋外用受配電盤。
【請求項５】
請求項１〜４のいずれか１項において、前記カバーは下面開放の直方体状に構成され、平板脚の四隅は接着剤を熱硬化させて固着されていることを特徴とする屋外用受配電盤。
【請求項６】
請求項５において、前記カバーの平板脚の四隅には接着剤を熱硬化させて固着される補強金具が設けられていることを特徴とする屋外用受配電盤。
【請求項７】
請求項１〜４のいずれか１項において、受配電盤の吊り金具は前記屋根板との間に軟質金属ワッシャーが配置され取付けられていることを特徴とする屋外用受配電盤。
【請求項８】
請求項１〜４のいずれか１項において、受配電盤の側板は接着剤を熱硬化して前記側板に固着される装着部品により前記フレームに組立てられることを特徴とする屋外用受配電盤。
【請求項９】
請求項７において、前記側板は縦方向に数条の補強溝が形成されていることを特徴とする屋外用受配電盤。
【請求項１０】
請求項５，７のいずれか１項において、前記接着剤は前記カバーあるいは前記側板の塗装行程における加熱によって熱硬化されることを特徴とする屋外用受配電盤。
【請求項１１】
請求項１において、前記受配電盤は前面側に突出したＬ型連結部材が形成されており、前記Ｌ型連結部材が隣接する他の受配電盤のＬ型連結部材に接触して配置され、両受配電盤の前記Ｌ型連結部材をパッキンで挟着するようにしたことを特徴とする屋外用受配電盤。
【発明の詳細な説明】
【技術分野】
【０００１】
本発明は、例えば、真空遮断器、計器用変流器、零相変流器などによって構成する配電用開閉装置を収納する屋外用受配電盤に関する。
【背景技術】
【０００２】
良く知られているように、受配電盤には屋内用と屋外用とがある。屋内用は主として組立構造であるが、屋外用は雨水の防水対策のため外被である天井板や側板の大部分を溶接しており、屋内用と屋外用の箱体の組立構造を区分している。しかし、屋外用についても屋内用と同様に組立構造にして屋内用と屋外用の箱体を共用化することが望まれている。また、溶接構造では受配電盤を廃棄する際に解体が難しく、リサイクルの障害になっている。
ところで、屋外用受配電盤は天井板の上に屋根板を設けているが、盤内の放熱のために天井板と屋根板に換気口を設け、屋根板換気口をカバーで覆うようにしている。このことは、例えば、下記の特許文献１に記載されている。カバーは直方体状で下面を開放して形成され、上面に複数の小さい換気孔を穿設した構成のものが用いられるようになっている。カバーと屋根板の間には複数の小さい換気孔からの雨水を受ける雨水受樋が配置される。
【０００３】
【特許文献１】特開２０００−２６１９１６号公報
【発明の開示】
【発明が解決しようとする課題】
【０００４】
従来技術の屋外用受配電盤は、屋根板換気口を覆うカバーの上面に穿設した複数の小さい換気孔からの雨水を雨水受樋で受けるようにしている。しかしながら、雨水受樋からの跳ね返る雨水が盤内に入り込むという問題点を有する。
【０００５】
このような防水対策は溶接構造にすることなく行え、また、吊り金具、側板、カバーなども溶接構造にすることなく防水対策できる技術の開発が強く要望されている。
【０００６】
本発明の目的は雨水の防水対策を溶接構造にすることなく組立構造にして行える屋外用受配電盤を提供することにある。
【課題を解決するための手段】
【０００７】
本発明の特徴とするところは、換気口が形成されている天井板との間に空間を形成して配置される屋根板に形成した屋根板換気口の上側に雨水受樋を配置し、上面に複数の換気孔が穿設されている下面開放のカバーによって屋根板換気口を覆うようにし、屋根板換気口の周囲を上方に突出している凸溝で囲うように形成したことにある。
【０００８】
本発明の望ましい実施形態は、凸溝の外側を囲うようにパッキンを設け、凸溝をリブ押し成形（ビーデング加工）によって半円状に形成されることである。
【発明の効果】
【０００９】
本発明はこのようにして防水構造にするのであるが、屋根板換気口の周囲を上方に突出している凸溝で囲うように形成して雨水の盤内浸入を防止しており、溶接構造にすることなく防水対策することができる。その結果として、屋外用と屋内用の受配電盤における組立枠体（フレーム）を共用化でき、かつ、組立と解体が容易に行えるという効果を奏し得る。
【発明を実施するための最良の形態】
【００１０】
受配電盤はフレームを組立枠体として形成される。換気口が形成されている天井板はフレームの上部に取付けられる。屋根板は天井板との間に空間を形成して配置され、換気口が形成されている。上面に複数の換気孔が穿設されている下面開放のカバーは屋根板換気口を覆うように配置される。雨水受樋は屋根板換気口の上側、つまりカバーの上面下側に配置されている。上方に突出している凸溝は屋根板換気口の周囲を囲うように形成されている。パッキンは凸溝の外側を囲うように設けられている。凸溝はリブ押し成形によって半円状に形成されている。
【実施例１】
【００１１】
図１〜図４に本発明の一実施例を示す。図１は全体構成を示す斜視図、図２は一部部品を省略した分解斜視図、図３は本発明の要部を示す一部破断した斜視図、図４は図３のＡ−Ａ断面図である。
【００１２】
図１〜図４において、受配電盤１は組立枠体を形成するフレーム２を備えている。フレーム２は垂直フレームと水平フレームで構成され、図示しないボルト、リベットなどの装着部品で組立てられている。フレーム２の前面扉６側の垂直フレーム３は外側扉としての前面扉６と図示しない内側扉を取付けるために幅を広くして強度を大きくしている。
【００１３】
フレーム（垂直フレーム）２の上部には天井板４が取付けられている。天井板４は角穴の換気口５が形成されている。天井板４の長手方向両側には２本の屋根梁７が組立固定されている。屋根梁７は傾斜付梁に形成されている。屋根板８は２本の屋根梁７の上に載置して組立てられる。屋根板８は長方形状で、中央部に角穴の換気口９が形成されている。換気口９は長さ７００ｍｍ、幅２５０ｍｍ程度である。
【００１４】
屋根板８には屋根板換気口９の周囲を囲うように凸溝１０が形成されている。凸溝１０はリブ押し成形（ビーデング加工）によって上方に突出する半円状に形成されている。凸溝１０は図１、図３に示すようにレーストラック状に形成され、屋根板換気口９の周囲を囲うようになっている。
【００１５】
パッキン１１は凸溝１０の外側を囲うように設けられている。パッキン１１はボルトナット１２に一端を固定されている押え板１３により支持配置されている。パッキン１１は空胴が形成されている。
【００１６】
カバー１４は下面開放の直方体状に構成され、屋根板換気口９を覆うように配置されている。カバー１４は図３、図５に示すように上面に複数の換気孔１５が穿設されている。カバー１４は長さ８００ｍｍ、幅３００ｍｍ程度である。雨水受樋１８は屋根板換気口９の上側、つまりカバー１４の上面下側に配置されている。雨水受樋１８はカバー１４の上面に吊下げ、あるいは屋根板８に下から支持されて取付けられる。
【００１７】
カバー１４は図５に示すように両側を折曲して平板脚を形成した蓋板１４ａと２枚の平板脚１４ｂ、１４ｃから構成される。蓋板１４ａの平板脚と例えば平板脚１４ｃの接触面（合せ面）の近傍には図６（ａ）、（ｂ）に示すようにスタッド１６が設けられている。
【００１８】
蓋板１４ａの平板脚と平板脚１４ｃの接触面（合せ面）に熱硬化性の接着剤３５が塗布される。カバー１４の平板脚の四隅は接着剤３５が塗布される。次に、図６（ｃ）に示すようにＬ型の補強金具１７の図示背面に接着剤３５を塗布してスタッド１６に係止させ、図７に示すようにナットで仮保持させる。この状態でカバー１４を塗装工程で塗装する。
【００１９】
塗装は粉体塗装で行われるが、乾燥のため加熱する。カバー１４の平板脚の四隅に塗布した接着剤３５と補強金具１７の背面に塗布した接着剤３５は加熱されることにより熱硬化する。したがって、カバー１４の平板脚の四隅は強固に固着され、カバー１４内に雨水が浸入するのを防止できる。
【００２０】
このように構成されるカバー１４は図３に示すように金具１９を用いて屋根板９に取付けられる。カバー１４は金具１９をボルト（図示せず）締めにより固定される。
【００２１】
フレーム２には図２に示すように２枚の側板２０が組立構成される。側板２０は図８に示すように縦方向に数条（図８では２条）の補強溝２１が形成されている。補強溝２１は天井板８に形成した凸溝１０と同様にリブ押し成形（ビーデング加工）によって外側に突出する半円状に形成されている。
【００２２】
側板２０は図９に示すボルト２２によりフレーム２に取付けられる。図９は１個のボルト２２だけを示している。ボルト２２は頭部下面に接着剤３５を塗布され、側板２０に穿設したボルト穴（図示せず）に挿入される。この状態で側板２０を塗装工程で塗装し乾燥のため加熱する。ボルト２２は頭部下面に塗布した接着剤の熱硬化により側板２０に固着される。
【００２３】
側板２０にボルト２２を接着剤の熱硬化により固着して図９（ｂ）に示すようにフレーム２の取付口にボルト２２を挿入しナット２３で締付ける。このように側板２０はフレーム２に組立てられるが、接着剤３５を熱硬化して側板２０に固着される装着部品（ボルト２２）によりフレーム２に組立てられる。ボルト２２は接着剤３５により側板２０に穿設したボルト穴を密閉するので側板２０から受配電盤１内に雨水が浸入するのを防止できる。
【００２４】
なお、受配電盤１は図１に示すように２枚の側板２０を組合わせているが、２枚の側板２０の合せ部にはパッキンとＵ字カバー２４が施されている。
【００２５】
屋根板８の四隅には吊り金具（吊りボルト）２５が設けられている。屋根板８は吊り金具２５を取付ける個所には補強板２６が設けられている。補強板２６の下面には銅ナット２８が溶接されている。吊り金具２５は図１０に示すように屋根板８との間に薄板銅板ワッシャー２７を配置して銅ナット２８に螺合して屋根板８に取付けられる。
【００２６】
薄板銅板ワッシャー２７は軟質金属ワッシャーであり、屋根板８に穿設した吊り金具取付穴に喰い込み馴染むので雨水の防水効果を果たすことができる。このように、吊り金具２５を屋根板８に溶接することなく取付けても雨水が浸入するのを防止できる。
【００２７】
また、顧客の要求により吊り金具２５を取外すことがあるが、ナット２８に螺合しているだけであり簡単に取外すことができる。
【００２８】
本発明の屋外用銃配電盤はこのようにして防水構造にするのであるが、屋根板換気口の周囲を上方に突出している凸溝で囲うように形成して雨水受樋からの跳ね返り雨水の盤内浸入を防止しており、溶接構造にすることなく防水対策することができる。その結果として、屋外用と屋内用の受配電盤における組立枠体（フレーム）を共用化でき、かつ、組立と解体が容易に行えるという効果を奏し得る。
【００２９】
また、カバーの平板脚の四隅に塗布した接着剤と補強金具の背面に塗布した接着剤を加熱して熱硬化させているので、カバー内に雨水が浸入するのを防止できる。さらに、側板はフレームに組立てられるが、接着剤を熱硬化して側板に固着される装着部品（ボルト、リベットなど）によりフレームに組立てられる。ボルトは接着剤により側板に穿設したボルト穴を密閉するので側板から受配電盤内に雨水が浸入するのを防止できる。
【００３０】
また、吊り金具は屋根板との間に薄板銅板ワッシャーを配置して屋根板に取付けられる。
薄板銅板ワッシャーは軟質金属ワッシャーであり、屋根板に穿設した吊り金具取付穴に喰い込み馴染むので雨水の防水効果を果たすことができる。したがって、吊り金具を屋根板に溶接することなく取付けても雨水が浸入するのを防止できる。
【実施例２】
【００３１】
図１１に本発明における他の実施例の要部を示す。図１１に示す実施例２が実施例１と異なるところは凸溝１０の外側を囲うパッキン１１を省略したものである。ボルトナット１２に一端を固定されている押え板１３は凸溝１０の上部に接するように配置されている。
【００３２】
このように構成しても雨水受樋１８からの跳ね返り雨水の盤内浸入を防止でき、溶接構造にすることなく防水対策することができる。
【実施例３】
【００３３】
図１２、図１３に本発明における他の実施例の要部を示す。実施例３は受配電盤１を列盤構成にする場合の防水構造であり、図１２は一部破断した要部斜視図、図１３は要部平面図である。
【００３４】
図１２，１３において、列盤構成にされる２面の受配電盤１Ａ、１Ｂの正面扉６が取付けられる取付枠３１ａ，３１ｂは前面側に突出したＬ型連結部材で形成されている。Ｌ型連結部材３１ａ，３１ｂは突出部３２ａ，３２ｂが接触して配置されている。
【００３５】
両受配電盤１Ａ、１ＢにおけるＬ型連結部材３１ａ，３１ｂの突出部３２ａ，３２ｂを外側からＵ形パッキン３３で挟着する。
【００３６】
なお、屋根板換気口の周囲を囲うように凸溝が形成されることは実施例１と同様である。  実施例３は受配電盤を列盤構成にする場合でも溶接することなく組合わせによって防水対策を施すことができる。
【図面の簡単な説明】
【００３７】
【図１】本発明の一実施例の全体構成を示す斜視図である。
【図２】本発明の一実施例の一部部品を省略した分解斜視図である。
【図３】本発明の要部を示す一部破断した斜視図である。
【図４】図３のＡ−Ａ断面図である。
【図５】本発明によるカバーの一例構成図である。
【図６】本発明によるカバーの組立説明図である。
【図７】本発明によるカバーの組立説明図である。
【図８】本発明による側板の一例構成図である。
【図９】本発明による側板組立説明用の図８のＢ−Ｂ断面図である。
【図１０】本発明による吊り金具の一例構成図である。
【図１１】本発明の他の実施例を示す要部構成図である。
【図１２】本発明の他の実施例を示す一部破断した斜視図である。
【図１３】図１２の平面図である。
【符号の説明】
【００３８】
１…受配電盤、２…フレーム、３…垂直フレーム、４…天井板、５…天井板換気口、６…前面扉、７…屋根梁、８…屋根板、９…屋根板換気口、１０…凸溝、１１…パッキン、１２…ボルトナット、１３…押え板、１４…カバー、１５…換気孔、１６…スタッド、１７…補強金具、１８…雨水受樋、１９…金具、２０…側板、２１…補強溝、２２…ボルト、２３…ナット、２４…Ｕ字カバー、２５…吊り金具、２６…補強板、２７…薄板銅板ワッシャー、２８…ナット。
【図１】
2006074956.tif 000003
【図２】
2006074956.tif 000004
【図３】
2006074956.tif 000005
【図４】
2006074956.tif 000006
【図５】
2006074956.tif 000007
【図６】
2006074956.tif 000008
【図７】
2006074956.tif 000009
【図８】
2006074956.tif 000010
【図９】
2006074956.tif 000011
【図１０】
2006074956.tif 000012
【図１１】
2006074956.tif 000013
【図１２】
2006074956.tif 000014
【図１３】
2006074956.tif 000015